【手続補正書】
【提出日】平成27年9月11日(2015.9.11)
【手続補正１】
【補正対象書類名】特許請求の範囲
【補正対象項目名】全文
【補正方法】変更
【補正の内容】
【特許請求の範囲】
【請求項１】
１以上の予測ブロックからなる符号化ブロックを符号化する動画像符号化装置であって、
前記符号化ブロック内の予測ブロックの全てに対して共通に利用する時間結合動き情報候補を導出するか否かを示す情報が前記符号化ブロック内の予測ブロックの全てに対して共通に利用する時間結合動き情報候補を導出することを示す情報であった場合、符号化対象の予測ブロックのあるピクチャとは別の符号化済みのピクチャの予測ブロックから、前記符号化ブロック内の予測ブロックの全てに対して共通に利用する時間結合動き情報候補を導出する時間結合動き情報候補生成部と、
前記時間結合動き情報候補を含む複数の結合動き情報候補を生成する結合動き情報候補生成部と、
前記複数の結合動き情報候補から１つの結合動き情報候補を選択し、選択された前記１つの結合動き情報候補を前記符号化対象の予測ブロックの動き情報として利用する結合動き情報選択部と、
選択された前記１つの結合動き情報候補を特定するためのインデックスを候補特定インデックスとして符号化する符号化部とを備えることを特徴とする画像符号化装置。
【請求項２】
１以上の予測ブロックからなる符号化ブロックを符号化する動画像符号化方法であって、
前記符号化ブロック内の予測ブロックの全てに対して共通に利用する時間結合動き情報候補を導出するか否かを示す情報が前記符号化ブロック内の予測ブロックの全てに対して共通に利用する時間結合動き情報候補を導出することを示す情報であった場合、符号化対象の予測ブロックのあるピクチャとは別の符号化済みのピクチャの予測ブロックから、前記符号化ブロック内の予測ブロックの全てに対して共通に利用する時間結合動き情報候補を導出する時間結合動き情報候補生成ステップと、
前記時間結合動き情報候補を含む複数の結合動き情報候補を生成する結合動き情報候補生成ステップと、
前記複数の結合動き情報候補から１つの結合動き情報候補を選択し、選択された前記１つの結合動き情報候補を前記符号化対象の予測ブロックの動き情報として利用する結合動き情報選択ステップと、
選択された前記１つの結合動き情報候補を特定するためのインデックスを候補特定インデックスとして符号化する符号化ステップとを備えることを特徴とする画像符号化方法。
【請求項３】
１以上の予測ブロックからなる符号化ブロックを符号化する動画像符号化プログラムであって、
前記符号化ブロック内の予測ブロックの全てに対して共通に利用する時間結合動き情報候補を導出するか否かを示す情報が前記符号化ブロック内の予測ブロックの全てに対して共通に利用する時間結合動き情報候補を導出することを示す情報であった場合、符号化対象の予測ブロックのあるピクチャとは別の符号化済みのピクチャの予測ブロックから、前記符号化ブロック内の予測ブロックの全てに対して共通に利用する時間結合動き情報候補を導出する時間結合動き情報候補生成ステップと、
前記時間結合動き情報候補を含む複数の結合動き情報候補を生成する結合動き情報候補生成ステップと、
前記複数の結合動き情報候補から１つの結合動き情報候補を選択し、選択された前記１つの結合動き情報候補を前記符号化対象の予測ブロックの動き情報として利用する結合動き情報選択ステップと、
選択された前記１つの結合動き情報候補を特定するためのインデックスを候補特定インデックスとして符号化する符号化ステップとをコンピュータに実行させることを特徴とする画像符号化プログラム。
【請求項４】
１以上の予測ブロックからなる符号化ブロックを符号化する動画像符号化方法により符号化された符号化ストリームを送信する送信装置であって、
前記符号化ストリームをパケット化して符号化データを得るパケット処理部と、
パケット化された前記符号化データを送信する送信部とを備え、
前記動画像符号化方法は、
前記符号化ブロック内の予測ブロックの全てに対して共通に利用する時間結合動き情報候補を導出するか否かを示す情報が前記符号化ブロック内の予測ブロックの全てに対して共通に利用する時間結合動き情報候補を導出することを示す情報であった場合、符号化対象の予測ブロックのあるピクチャとは別の符号化済みのピクチャの予測ブロックから、前記符号化ブロック内の予測ブロックの全てに対して共通に利用する時間結合動き情報候補を導出する時間結合動き情報候補生成ステップと、
前記時間結合動き情報候補を含む複数の結合動き情報候補を生成する結合動き情報候補生成ステップと、
前記複数の結合動き情報候補から１つの結合動き情報候補を選択し、選択された前記１つの結合動き情報候補を前記符号化対象の予測ブロックの動き情報として利用する結合動き情報選択ステップと、
選択された前記１つの結合動き情報候補を特定するためのインデックスを候補特定インデックスとして符号化する符号化ステップとを備えることを特徴とする送信装置。
【請求項５】
１以上の予測ブロックからなる符号化ブロックを符号化する動画像符号化方法により符号化された符号化ストリームを送信する送信方法であって、
前記符号化ストリームをパケット化して符号化データを得るパケット処理ステップと、
パケット化された前記符号化データを送信する送信ステップとを備え、
前記動画像符号化方法は、
前記符号化ブロック内の予測ブロックの全てに対して共通に利用する時間結合動き情報候補を導出するか否かを示す情報が前記符号化ブロック内の予測ブロックの全てに対して共通に利用する時間結合動き情報候補を導出することを示す情報であった場合、符号化対象の予測ブロックのあるピクチャとは別の符号化済みのピクチャの予測ブロックから、前記符号化ブロック内の予測ブロックの全てに対して共通に利用する時間結合動き情報候補を導出する時間結合動き情報候補生成ステップと、
前記時間結合動き情報候補を含む複数の結合動き情報候補を生成する結合動き情報候補生成ステップと、
前記複数の結合動き情報候補から１つの結合動き情報候補を選択し、選択された前記１つの結合動き情報候補を前記符号化対象の予測ブロックの動き情報として利用する結合動き情報選択ステップと、
選択された前記１つの結合動き情報候補を特定するためのインデックスを候補特定インデックスとして符号化する符号化ステップとを備えることを特徴とする送信方法。
【請求項６】
１以上の予測ブロックからなる符号化ブロックを符号化する動画像符号化方法により符号化された符号化ストリームを送信する送信プログラムであって、
前記符号化ストリームをパケット化して符号化データを得るパケット処理ステップと、
パケット化された前記符号化データを送信する送信ステップとをコンピュータに実行させ、
前記動画像符号化方法は、
前記符号化ブロック内の予測ブロックの全てに対して共通に利用する時間結合動き情報候補を導出するか否かを示す情報が前記符号化ブロック内の予測ブロックの全てに対して共通に利用する時間結合動き情報候補を導出することを示す情報であった場合、符号化対象の予測ブロックのあるピクチャとは別の符号化済みのピクチャの予測ブロックから、前記符号化ブロック内の予測ブロックの全てに対して共通に利用する時間結合動き情報候補を導出する時間結合動き情報候補生成ステップと、
前記時間結合動き情報候補を含む複数の結合動き情報候補を生成する結合動き情報候補生成ステップと、
前記複数の結合動き情報候補から１つの結合動き情報候補を選択し、選択された前記１つの結合動き情報候補を前記符号化対象の予測ブロックの動き情報として利用する結合動き情報選択ステップと、
選択された前記１つの結合動き情報候補を特定するためのインデックスを候補特定インデックスとして符号化する符号化ステップとを備えることを特徴とする送信プログラム。
【手続補正２】
【補正対象書類名】明細書
【補正対象項目名】発明の名称
【補正方法】変更
【補正の内容】
【発明の名称】動画像符号化装置、動画像符号化方法、及び動画像符号化プログラム、並びに、送信装置、送信方法、及び送信プログラム
【手続補正３】
【補正対象書類名】明細書
【補正対象項目名】０００１
【補正方法】変更
【補正の内容】
【０００１】
本発明は、動き補償予測を用いた動画像符号化技術に関し、特に動き補償予測で利用する動き情報を符号化する動画像符号化装置、動画像符号化方法、及び動画像符号化プログラム、並びに、送信装置、送信方法、及び送信プログラムに関する。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】変更
【補正の内容】
【００１２】
本発明のさらに別の態様は、画像符号化方法である。この方法は、１以上の予測ブロックからなる符号化ブロックを符号化する動画像符号化方法であって、前記符号化ブロック内の予測ブロックの全てに対して共通に利用する時間結合動き情報候補を導出するか否かを示す情報が前記符号化ブロック内の予測ブロックの全てに対して共通に利用する時間結合動き情報候補を導出することを示す情報であった場合、符号化対象の予測ブロックのあるピクチャとは別の符号化済みのピクチャの予測ブロックから、前記符号化ブロック内の予測ブロックの全てに対して共通に利用する時間結合動き情報候補を導出する時間結合動き情報候補生成ステップと、前記時間結合動き情報候補を含む複数の結合動き情報候補を生成する結合動き情報候補生成ステップと、前記複数の結合動き情報候補から１つの結合動き情報候補を選択し、選択された前記１つの結合動き情報候補を前記符号化対象の予測ブロックの動き情報として利用する結合動き情報選択ステップと、選択された前記１つの結合動き情報候補を特定するためのインデックスを候補特定インデックスとして符号化する符号化ステップとを備える。
本発明のさらに別の態様は、送信装置である。この装置は、１以上の予測ブロックからなる符号化ブロックを符号化する動画像符号化方法により符号化された符号化ストリームを送信する送信装置であって、前記符号化ストリームをパケット化して符号化データを得るパケット処理部と、パケット化された前記符号化データを送信する送信部とを備える。前記動画像符号化方法は、前記符号化ブロック内の予測ブロックの全てに対して共通に利用する時間結合動き情報候補を導出するか否かを示す情報が前記符号化ブロック内の予測ブロックの全てに対して共通に利用する時間結合動き情報候補を導出することを示す情報であった場合、符号化対象の予測ブロックのあるピクチャとは別の符号化済みのピクチャの予測ブロックから、前記符号化ブロック内の予測ブロックの全てに対して共通に利用する時間結合動き情報候補を導出する時間結合動き情報候補生成ステップと、前記時間結合動き情報候補を含む複数の結合動き情報候補を生成する結合動き情報候補生成ステップと、前記複数の結合動き情報候補から１つの結合動き情報候補を選択し、選択された前記１つの結合動き情報候補を前記符号化対象の予測ブロックの動き情報として利用する結合動き情報選択ステップと、選択された前記１つの結合動き情報候補を特定するためのインデックスを候補特定インデックスとして符号化する符号化ステップとを備える。
本発明のさらに別の態様は、送信方法である。この方法は、１以上の予測ブロックからなる符号化ブロックを符号化する動画像符号化方法により符号化された符号化ストリームを送信する送信方法であって、前記符号化ストリームをパケット化して符号化データを得るパケット処理ステップと、パケット化された前記符号化データを送信する送信ステップとを備える。前記動画像符号化方法は、前記符号化ブロック内の予測ブロックの全てに対して共通に利用する時間結合動き情報候補を導出するか否かを示す情報が前記符号化ブロック内の予測ブロックの全てに対して共通に利用する時間結合動き情報候補を導出することを示す情報であった場合、符号化対象の予測ブロックのあるピクチャとは別の符号化済みのピクチャの予測ブロックから、前記符号化ブロック内の予測ブロックの全てに対して共通に利用する時間結合動き情報候補を導出する時間結合動き情報候補生成ステップと、前記時間結合動き情報候補を含む複数の結合動き情報候補を生成する結合動き情報候補生成ステップと、前記複数の結合動き情報候補から１つの結合動き情報候補を選択し、選択された前記１つの結合動き情報候補を前記符号化対象の予測ブロックの動き情報として利用する結合動き情報選択ステップと、選択された前記１つの結合動き情報候補を特定するためのインデックスを候補特定インデックスとして符号化する符号化ステップとを備える。